(57)【要約】【課題】複数の表示装置により画像を表示する場合であっても、処理回路の多くの部分に、低い処理能力の回路構成を用いることができる表示装置を実現する。【解決手段】プロジェクター２００Ａは、ソース画像データのフレームの少なくとも一部を含む部分フレームを複数生成する分割処理部２５０Ａと、生成された複数の部分フレームを予め設定された順に後段のプロジェクター２００に出力する画像出力部２１３Ａとを備え、プロジェクター２００Ｂ〜２００Ｄは、上位のプロジェクター２００から部分フレームが入力される画像入力部２１１Ｂ〜２１１Ｄと、画像入力部２１１Ｂ〜２１１Ｄに入力される部分フレームの入力順に基づいて表示させる部分フレームを選択し、選択した部分フレームを投射部２２０Ｂ〜２２０Ｄにより表示させる制御部２８０Ｂ〜２８０Ｄと、を備える表示システム１。【選択図】図３
2019101080.tif 000002
【特許請求の範囲】
【請求項１】
第１表示装置及び第２表示装置を有する表示システムであって、
前記第１表示装置は、
画像を表示する第１表示部と、
ソース画像が入力される第１入力部と、
前記ソース画像のフレームの少なくとも一部を含む部分フレームを複数生成するフレーム生成部と、
前記フレーム生成部により生成された複数の前記部分フレームを予め設定された順に前記第２表示装置に出力する出力部と、
前記フレーム生成部により生成された前記部分フレームのいずれかを前記第１表示部により表示させる第１表示制御部と、を備え、
前記第２表示装置は、
画像を表示する第２表示部と、
前記第１表示装置から前記部分フレームが入力される第２入力部と、
前記第２入力部に入力される前記部分フレームの入力順に基づいて前記第２表示部により表示させる前記部分フレームを選択し、選択した前記部分フレームを前記第２表示部により表示させる第２表示制御部と、を備える表示システム。
【請求項２】
複数の前記第２表示装置が前記第１表示装置にデイジーチェーン接続される請求項１に記載の表示システム。
【請求項３】
前記フレーム生成部は、前記ソース画像を構成する１フレームから複数の前記部分フレームを切り出すことにより、複数の前記部分フレームを生成し、
前記出力部は、前記ソース画像の１フレームから生成された複数の前記部分フレームを連続して出力する請求項２に記載の表示システム。
【請求項４】
前記出力部は、前記ソース画像の１フレームから生成した複数の前記部分フレームのうちのいずれかの前記部分ブレームの先頭に識別データを付加して出力する請求項３記載の表示システム。
【請求項５】
前記第２表示装置は、先頭の前記部分フレームが前記第２入力部に入力されてから、前記第２表示部により表示させる前記部分フレームが入力されるまでのフレーム数の情報を記憶する記憶部を備え、
前記第２表示制御部は、前記識別データが付加された前記部分フレームが前記第２入力部に入力されると、前記第２入力部に入力される前記部分フレームの数をカウントし、カウント数が、前記記憶部に記憶された前記フレーム数の情報に一致すると、前記第２入力部に入力された前記部分フレームを、前記第２表示部により表示させる前記部分フレームとして選択する請求項４記載の表示システム。
【請求項６】
前記出力部は、前記ソース画像の１フレームから生成した複数の前記部分フレームの各々の先頭に垂直同期信号を付加し、
前記第２表示制御部は、前記部分フレームに付加された前記垂直同期信号が前記第２入力部に入力されるタイミングに同期して、選択した前記部分フレームを前記第２表示部により表示させる請求項３から５のいずれか１項に記載の表示システム。
【請求項７】
前記フレーム生成部は、前記ソース画像の１フレームから、前記第１表示装置と、複数の前記第２表示装置とに対応する数の前記部分フレームを生成する請求項３から６のいずれか１項に記載の表示システム。
【請求項８】
前記出力部は、前記ソース画像の１フレームの伝送周期に相当する周期で、前記ソース画像の１フレームから生成した複数の前記部分フレームを出力する請求項３から７のいずれか１項に記載の表示システム。
【請求項９】
前記フレーム生成部は、前記ソース画像を構成する１フレームよりも低解像度の前記部分フレームを生成する請求項３から８のいずれか１項に記載の表示システム。
【請求項１０】
前記出力部は、前記デイジーチェーン接続の接続順位に従って複数の前記部分フレームを時系列に出力する請求項１から９のいずれか１項に記載の表示システム。
【請求項１１】
画像処理装置と、前記画像処理装置に接続される表示装置とを有する表示システムであって、
前記画像処理装置は、
ソース画像のフレームの少なくとも一部を含む部分フレームを複数生成するフレーム生成部と、
前記フレーム生成部により生成された複数の前記部分フレームを予め設定された順に前記表示装置に出力する出力部と、を備え、
前記表示装置は、
画像を表示する表示部と、
前記画像処理装置から前記部分フレームが入力される第２入力部と、
前記第２入力部に入力される前記部分フレームの入力順に基づいて前記表示部で表示する前記部分フレームを選択し、選択した前記部分フレームを表示部により表示させる表示制御部と、を備える表示システム。
【請求項１２】
外部の表示装置と接続される表示装置であって、
画像を表示する表示部と、
ソース画像が入力される入力部と、
前記入力部に入力される前記ソース画像を構成する１フレームの少なくとも一部を含む部分フレームを切り出すことにより、複数の前記部分フレームを生成するフレーム生成部と、
前記フレーム生成部により前記ソース画像の１フレームから生成された複数の前記部分フレームを、予め設定された順に前記外部の表示装置に出力する出力部と、
前記フレーム生成部により前記ソース画像の１フレームから生成された前記部分フレームのいずれかを前記表示部により表示させる表示制御部と、を備える表示装置。
【請求項１３】
外部の表示装置と接続される画像処理装置であって、
ソース画像を構成する１フレームから、前記ソース画像の１フレームの少なくとも一部を含む部分フレームを切り出すことにより、複数の前記部分フレームを生成するフレーム生成部と、
前記フレーム生成部により前記ソース画像の１フレームから生成された複数の前記部分フレームを、予め設定された順に前記外部の表示装置に出力する出力部と、を備える画像処理装置。
【請求項１４】
ソース画像を、デイジーチェーン接続された複数の表示装置により表示する表示方法であって、
前記ソース画像の１のフレームから、前記ソース画像の１のフレームの少なくとも一部を含む部分フレームを複数生成するステップと、
前記ソース画像の１フレームから生成された複数の前記部分フレームを予め設定された順に、複数の前記表示装置に伝送するステップと、
複数の前記表示装置において、前記ソース画像の１のフレームから生成された複数の前記部分フレームの入力順に基づいて、前記表示装置の各々で表示させる前記部分フレームを選択し、選択した前記部分フレームを表示させるステップと、を有する表示方法。
【発明の詳細な説明】
【技術分野】
【０００１】
本発明は、表示システム、表示装置、画像処理装置、及び表示方法に関する。
【背景技術】
【０００２】
従来、複数の表示装置により画像を表示する表示システムが知られている（例えば、特許文献１参照）。特許文献１は、マスタープロジェクタとスレーブプロジェクタとを備え、マスタープロジェクタは、画像供給装置から供給される映像信号を分割して分割映像信号を生成し、生成した分割映像信号をスレーブプロジェクタに供給する画像投射システムを開示する。
【先行技術文献】
【特許文献】
【０００３】
【特許文献１】特開２００８−２１６８０５号公報
【発明の概要】
【発明が解決しようとする課題】
【０００４】
ところで、近年、表示装置が表示する画像の解像度は徐々に高くなる傾向にあり、それにつれて表示システムに要求される処理性能も高くなっている。例えば、処理能力の低い表示装置を含む表示システムにより画像を表示させるときに、表示装置の各々に高解像度の画像を処理させると、処理能力の高い表示装置が、処理能力の低い表示装置の処理の完了を待って画像を表示させなければならない。このため、表示システムの全体として画像の表示タイミングに遅延が生じるという課題がある。この課題を解消するには、表示システムに含まれるすべての表示装置が高い処理能力を備えていれば良いが、この場合、各々の表示装置の回路構成の規模が大きく複雑となってしまうという課題がある。
また、各々の表示装置の表示タイミングに関し、複数の表示装置間で同期をとるために各々の表示装置の表示タイミングを制御する必要があり、それを実現するための回路構成も簡素化したいという要求もある。
本発明は、複数の表示装置により高解像度の画像を表示する場合であっても、表示装置の処理回路の多くを占める部分で、処理能力の低い回路構成を用いることができ、回路構成がシンプルな表示装置で構成された表示システムを実現することを目的とする。
【課題を解決するための手段】
【０００５】
上記課題を解決するため、本発明は、第１表示装置及び第２表示装置を有する表示システムであって、前記第１表示装置は、画像を表示する第１表示部と、ソース画像が入力される第１入力部と、前記ソース画像のフレームの少なくとも一部を含む部分フレームを複数生成するフレーム生成部と、前記フレーム生成部により生成された複数の前記部分フレームを予め設定された順に前記第２表示装置に出力する出力部と、前記フレーム生成部により生成された前記部分フレームのいずれかを前記第１表示部により表示させる第１表示制御部と、を備え、前記第２表示装置は、画像を表示する第２表示部と、前記第１表示装置から前記部分フレームが入力される第２入力部と、前記第２入力部に入力される前記部分フレームの入力順に基づいて前記第２表示部により表示させる前記部分フレームを選択し、選択した前記部分フレームを前記第２表示部により表示させる第２表示制御部と、を備える。
この構成によれば、第１表示装置が複数の部分フレームを生成して第２表示装置に送信するので、第２表示装置で部分フレームを生成する必要がなくなる。このため、第２表示装置の処理回路の多くの部分に、低い処理能力の回路構成を用いることができ、回路構成がシンプルな表示装置を実現できる。
また、第１表示装置が予め設定された順に部分フレームを送信し、第２表示装置は、第２入力部に入力される部分フレームの入力順に基づいて表示させる部分フレームを選択する。このため、第２表示装置が表示する部分フレームを、第１表示装置から受信した複数の部分フレームの中から選択させることができる。
【０００６】
また、本発明は、複数の前記第２表示装置が前記第１表示装置にデイジーチェーン接続される。
この構成によれば、第１表示装置と、複数の第２表示装置とがデイジーチェーンされた表示システムにおいて、第２表示装置の各々に、受信した複数の部分フレームの中から表示させる部分フレームを選択させることができる。
【０００７】
また、本発明は、前記フレーム生成部は、前記ソース画像を構成する１フレームから複数の前記部分フレームを切り出すことにより、複数の前記部分フレームを生成し、前記出力部は、前記ソース画像の１フレームから生成された複数の前記部分フレームを連続して出力する。
この構成によれば、ソース画像を構成する１フレームから生成された複数の部分フレームを第１表示装置及び第２表示装置により表示させることができる。
【０００８】
また、本発明は、前記出力部は、前記ソース画像の１フレームから生成した複数の前記部分フレームのうちのいずれかの前記部分ブレームの先頭に識別データを付加して出力する。
この構成によれば、識別データに基づいて複数の部分フレームのソース画像における位置を特定することができる。
【０００９】
また、本発明は、前記第２表示装置は、先頭の前記部分フレームが前記第２入力部に入力されてから、前記第２表示部により表示させる前記部分フレームが入力されるまでのフレーム数の情報を記憶する記憶部を備え、前記第２表示制御部は、前記識別データが付加された前記部分フレームが前記第２入力部に入力されると、前記第２入力部に入力される前記部分フレームの数をカウントし、カウント数が、前記記憶部に記憶された前記フレーム数の情報に一致すると、前記第２入力部に入力された前記部分フレームを、前記第２表示部により表示させる前記部分フレームとして選択する。
この構成によれば、第１表示装置が第２表示装置に通知する情報量を削減し、少ない情報量で、第２表示装置の各々に、受信した複数の部分フレームの中から表示させる部分フレームを選択させることができる。
【００１０】
また、本発明は、前記出力部は、前記ソース画像の１フレームから生成した複数の前記部分フレームの各々の先頭に垂直同期信号を付加し、前記第２表示制御部は、前記部分フレームに付加された前記垂直同期信号が前記第２入力部に入力されるタイミングに同期して、選択した前記部分フレームを前記第２表示部により表示させる。
この構成によれば、容易かつ簡単な回路構成で、第１表示装置及び第２表示装置が、ソース画像の１フレームから生成した部分フレームを表示するタイミングを同期させることができる。
【００１１】
また、本発明は、前記フレーム生成部は、前記ソース画像の１フレームから、前記第１表示装置と、複数の前記第２表示装置とに対応する数の前記部分フレームを生成する。
この構成によれば、第１表示装置と複数の第２表示装置によりソース画像の１フレームを分割して表示させることができる。
【００１２】
また、本発明は、前記出力部は、前記ソース画像の１フレームの伝送周期に相当する周期で、前記ソース画像の１フレームから生成した複数の前記部分フレームを出力する。
この構成によれば、ソース画像の１フレームの伝送周期で、複数の部分フレームを第２表示装置の各々に伝送することができる。
【００１３】
また、本発明は、前記フレーム生成部は、前記ソース画像を構成する１フレームよりも低解像度の前記部分フレームを生成する。
この構成によれば、ソース画像を、ソース画像よりも低解像度の複数の部分フレームに分割することができる。
【００１４】
また、本発明は、前記出力部は、前記デイジーチェーン接続の接続順位に従って複数の前記部分フレームを時系列に出力する。
この構成によれば、第２表示装置の各々に、デイジーチェーン接続の接続順位に従って、第１表示装置から受信した複数の部分フレームの中から第２表示装置の各々が表示する部分フレームを選択させることができる。
【００１５】
上記課題を解決するため、本発明は、画像処理装置と、前記画像処理装置に接続される表示装置とを有する表示システムであって、前記画像処理装置は、ソース画像のフレームの少なくとも一部を含む部分フレームを複数生成するフレーム生成部と、前記フレーム生成部により生成された複数の前記部分フレームを予め設定された順に前記表示装置に出力する出力部と、を備え、前記表示装置は、画像を表示する表示部と、前記画像処理装置から前記部分フレームが入力される第２入力部と、前記第２入力部に入力される前記部分フレームの入力順に基づいて前記表示部で表示する前記部分フレームを選択し、選択した前記部分フレームを前記表示部により表示させる表示制御部と、を備える。
この構成によれば、画像処理装置が複数の部分フレームを生成して表示装置に送信するので、表示装置で部分フレームを生成する必要がなくなる。このため、表示装置の処理回路の多くの部分に、低い処理能力の回路構成を用いることができ、回路構成がシンプルな表示装置を実現できる。
また、画像処理装置が予め設定された順に部分フレームを送信し、表示装置は、第２入力部に入力される部分フレームの入力順に基づいて表示させる部分フレームを選択する。このため、表示装置が表示する部分フレームを、画像処理装置から受信した複数の部分フレームの中から選択させることができる。
【００１６】
上記課題を解決するため、本発明は、外部の表示装置と接続される表示装置であって、画像を表示する表示部と、ソース画像が入力される入力部と、前記入力部に入力される前記ソース画像を構成する１フレームの少なくとも一部を含む部分フレームを切り出すことにより、複数の前記部分フレームを生成するフレーム生成部と、前記フレーム生成部により前記ソース画像の１フレームから生成された複数の前記部分フレームを、予め設定された順に前記外部の表示装置に出力する出力部と、前記フレーム生成部により前記ソース画像の１フレームから生成された前記部分フレームのいずれかを前記表示部により表示させる表示制御部と、を備える。
この構成によれば、表示装置が複数の部分フレームを生成して外部の表示装置に送信するので、外部の表示装置で部分フレームを生成する必要がなくなる。このため、外部の表示装置の処理回路の多くの部分に、低い処理能力の回路構成を用いることができ、回路構成がシンプルな表示装置を実現できる。
また、表示装置が予め設定された順に部分フレームを送信することで、外部の表示装置は、表示装置から受信した複数の部分フレームの中から外部の表示装置が表示する部分フレームを選択することができる。
【００１７】
上記課題を解決するため、本発明は、外部の表示装置と接続される画像処理装置であって、ソース画像を構成する１フレームから、前記ソース画像の１フレームの少なくとも一部を含む部分フレームを切り出すことにより、複数の前記部分フレームを生成するフレーム生成部と、前記フレーム生成部により前記ソース画像の１フレームから生成された複数の前記部分フレームを、予め設定された順に前記外部の表示装置に出力する出力部と、を備える。
この構成によれば、画像処理装置が複数の部分フレームを生成して外部の表示装置に送信するので、外部の表示装置で部分フレームを生成する必要がなくなる。このため、外部の表示装置の処理回路の多くの部分に、低い処理能力の回路構成を用いることができ、回路構成がシンプルな表示装置を実現できる。
【００１８】
上記課題を解決するため、本発明は、ソース画像を、デイジーチェーン接続された複数の表示装置により表示する表示方法であって、前記ソース画像の１のフレームから、前記ソース画像の１のフレームの少なくとも一部を含む部分フレームを複数生成するステップと、前記ソース画像の１フレームから生成された複数の前記部分フレームを予め設定された順に、複数の前記表示装置に伝送するステップと、複数の前記表示装置において、前記ソース画像の１のフレームから生成された複数の前記部分フレームの入力順に基づいて、前記表示装置の各々で表示させる前記部分フレームを選択し、選択した前記部分フレームを表示させるステップと、を有する。
この構成によれば、複数の部分フレームを生成して表示装置に送信するので、表示装置で部分フレームを生成する必要がなくなる。このため、表示装置の処理回路の多くの部分に、低い処理能力の回路構成を用いることができ、回路構成がシンプルな表示装置を実現できる。
また、予め設定された順に部分フレームを送信し、表示装置は、部分フレームの入力順に基づいて表示させる部分フレームを選択するので、表示装置が表示する部分フレームを、受信した複数の部分フレームの中から選択させることができる。
【図面の簡単な説明】
【００１９】
【図１】表示システムのシステム構成図。
【図２】画像供給装置の構成を示す構成図。
【図３】プロジェクターの構成を示す構成図。
【図４】画像処理系の構成を示す構成図。
【図５】フレームメモリーの記憶領域を示す図。
【図６】画像データの１フレームを示す図。
【図７】画像データの１フレームを分割して生成した部分フレームを示す図。
【図８】接続順が第３位のプロジェクターの画像表示タイミングを示す図。
【図９】接続順が第１位のプロジェクターの画像表示タイミングを示す図。
【図１０】マスター機として動作するプロジェクターの動作を示すフローチャート。
【図１１】スレーブ機として動作するプロジェクター動作を示すフローチャート。
【発明を実施するための形態】
【００２０】
以下、添付図面を参照して本発明の実施形態について説明する。
図１は、本発明を適用した表示システム１のシステム構成図である。本実施形態の表示システム１は、画像供給装置１００と、複数のプロジェクター２００とを備える。画像供給装置１００は、複数のプロジェクター２００が投射面としてのスクリーンＳＣに投射する画像データを供給する。複数のプロジェクター２００は、画像供給装置１００から供給される画像データに基づく画像をスクリーンＳＣに投射する。スクリーンＳＣは平面又は幕で構成され、具体的形状は任意である。また、投射面は、壁面、天井面、床面などの一様な平面であってもよいし、曲面や凹凸面を有していてもよい。
【００２１】
画像供給装置１００として採用可能な装置には、例えばノートＰＣ(Personal Computer)、デスクトップＰＣやタブレット端末、スマートフォン、ＰＤＡ（Personal Digital Assistant）等を用いることができる。また、画像供給装置１００として、ビデオ再生装置、ＤＶＤ（Digital Versatile Disk）プレーヤー、ブルーレイディスクプレーヤー、ハードディスクレコーダー、テレビチューナー、ＣＡＴＶ（Cable television）のセットトップボックス、ビデオゲーム機等を用いてもよい。画像供給装置１００は、本発明の「画像処理装置」に相当する。
【００２２】
図１には、複数のプロジェクター２００としてプロジェクター２００Ａ、２００Ｂ、２００Ｃ及び２００Ｄの４台を示すが、プロジェクター２００の台数は４台に限定されない。以下の説明において、プロジェクター２００Ａ、２００Ｂ、２００Ｃ、２００Ｄを特に区別する必要がない場合には、プロジェクター２００と表記する。
【００２３】
また、図１には、プロジェクター２００Ａ、２００Ｂ、２００Ｃ及び２００Ｄを、スクリーンＳＣの前方であって、スクリーンＳＣの水平方向に横並びに配置した配置例を示す。プロジェクター２００の配置は、図１に示す配置に限定されず、例えば、４台のプロジェクター２００を縦２列、横２行に並べるマトリクス配置であってもよいし、４台のプロジェクターを縦方向に重ねて配置してもよい。
【００２４】
プロジェクター２００Ａ〜２００Ｄは、スクリーンＳＣの異なる領域に画像を投射する。プロジェクター２００Ａが画像を投射するスクリーンＳＣの領域を投射領域１０Ａと表記し、プロジェクター２００Ｂが画像を投射するスクリーンＳＣの領域を投射領域１０Ｂと表記する。同様に、プロジェクター２００Ｃが画像を投射するスクリーンＳＣの領域を投射領域１０Ｃと表記し、プロジェクター２００Ｄが画像を投射するスクリーンＳＣの領域を投射領域１０Ｄと表記する。各投射領域１０Ａ〜１０Ｄは、後述する液晶パネル２２５Ａ（図４参照）に描画された画像が投射されるスクリーンＳＣ上の領域である。なお、投射領域１０Ａと投射領域１０Ｂとの一部は重なり合っていてもよい。同様に、投射領域１０Ｂと投射領域１０Ｃとの一部は重なり合っていてもよく、投射領域１０Ｃと投射領域１０Ｄとの一部は重なり合っていてもよい。各プロジェクター２００が投射する画像の一部が他のプロジェクター２００の投射する画像の一部に重なり合うことで、画像と画像の境界を目立たなくすることができる。
【００２５】
画像供給装置１００とプロジェクター２００の各々とはケーブルによりデイジーチェーン接続される。
画像供給装置１００とプロジェクター２００Ａとはケーブル２１により接続される。画像供給装置１００は、デイジーチェーン接続においてプロジェクター２００Ａの上位の装置である。
プロジェクター２００Ａとプロジェクター２００Ｂとはケーブル２２により接続される。プロジェクター２００Ａは、デイジーチェーン接続においてプロジェクター２００Ｂの上位の装置である。プロジェクター２００Ａは、デイジーチェーン接続における接続順位が第１位のプロジェクター２００であって、マスター機として動作する。プロジェクター２００Ａは、本発明の「第１表示装置」及び「表示装置」として動作する。
プロジェクター２００Ｂとプロジェクター２００Ｃとはケーブル２３により接続される。プロジェクター２００Ｂは、デイジーチェーン接続においてプロジェクター２００Ｃの上位の装置である。プロジェクター２００Ｂは、デイジーチェーン接続における接続順位が第２位のプロジェクター２００であって、スレーブ機として動作する。プロジェクター２００Ｂは、本発明の「第２表示装置」及び「外部の表示装置」として動作する。
プロジェクター２００Ｃとプロジェクター２００Ｄとはケーブル２４により接続される。プロジェクター２００Ｃは、デイジーチェーン接続においてプロジェクター２００Ｄの上位の装置である。プロジェクター２００Ｃは、デイジーチェーン接続における接続順位が第３位のプロジェクター２００であり、プロジェクター２００Ｄは、デイジーチェーン接続における接続順位が第４位のプロジェクター２００である。プロジェクター２００Ｃ及び２００Ｄもスレーブ機として動作し、本発明の「第２表示装置」として動作する。
【００２６】
画像供給装置１００と、プロジェクター２００の各々は、ＨＤＭＩ｛登録商標（High-Definition Multimedia Interface）｝インターフェイス部を備え、ＨＤＭＩ信号を送受信する。以下、インターフェイスをＩ／Ｆと略記する。画像供給装置１００は、ＨＤＭＩＩ／Ｆ部１４０（図２参照）を備える。プロジェクター２００Ａは、ＨＤＭＩＩ／Ｆ部２１０Ａを備え、プロジェクター２００Ｂは、ＨＤＭＩＩ／Ｆ部２１０Ｂを備える。また、プロジェクター２００Ｃは、ＨＤＭＩＩ／Ｆ部２１０Ｃを備え、プロジェクター２００Ｄは、ＨＤＭＩＩ／Ｆ部２１０Ｄを備える。
【００２７】
また、ＨＤＭＩＩ／Ｆ部２１０の各々は、画像入力部２１１と、画像出力部２１３とを備える。ＨＤＭＩＩ／Ｆ部２１０Ａは、画像入力部２１１Ａと画像出力部２１３Ａとを備え、ＨＤＭＩＩ／Ｆ部２１０Ｂは、画像入力部２１１Ｂと画像出力部２１３Ｂとを備える。画像入力部２１１Ａは、本発明の「第１入力部」及び「入力部」に相当し、画像出力部２１３Ａは、本発明の「出力部」に相当する。また、ＨＤＭＩＩ／Ｆ部２１０Ｃは、画像入力部２１１Ｃと画像出力部２１３Ｃとを備え、ＨＤＭＩＩ／Ｆ部２１０Ｄは、画像入力部２１１Ｄと画像出力部２１３Ｄとを備える。画像入力部２１１Ｂ、画像入力部２１１Ｃ及び画像入力部２１１Ｄは、本発明の「第２入力部」に相当する。また、図１及び図３において、画像入力部２１１を「Ｒｘ」と表記し、画像出力部２１３を「Ｔｘ」と表記する。
【００２８】
本実施形態では、表示システム１を構成する装置間をＨＤＭＩインターフェイスにより接続する場合について説明するが、装置間を接続するインターフェイスは、ＨＤＭＩに限定されず、例えば、以下のインターフェイス規格であってもよい。
例えば、Ｄｉｓｐｌａｙｐｏｒｔ、ＭＨＬ（Mobile High-definition Link、登録商標）、ＨＤＢａｓｅＴ（登録商標）、Ｔｈｕｎｄｅｒｂｏｌｔ（登録商標）、ＵＳＢ Ｔｙｐｅ−Ｃ、３Ｇ−ＳＤＩ（Serial Digital Interface）等のインターフェイスを用いることができる。
【００２９】
画像供給装置１００がプロジェクター２００Ａに出力するＨＤＭＩ信号には少なくとも画像データが含まれ、この他に音声データが含まれていてもよい。画像データは、動画像データであってもよいし、静止画像データであってもよい。
【００３０】
マスター機であるプロジェクター２００Ａは、画像供給装置１００からＨＤＭＩ信号を受信し、受信したＨＤＭＩ信号に含まれる画像データを取り出す。以下、画像供給装置１００から受信した画像データをソース画像データともいう。プロジェクター２００Ａは、取り出したソース画像データの少なくとも一部を含む部分フレームを生成する。より詳細には、プロジェクター２００Ａは、画像供給装置１００から受信した画像データを分割して部分フレームを生成する。プロジェクター２００Ａは、生成した部分フレームを後段のプロジェクター２００Ｂに送信する。
【００３１】
図２は、画像供給装置１００の構成を示す構成図である。
画像供給装置１００は、制御部１１０、記憶部１２０、再生部１３０及びＨＤＭＩＩ／Ｆ部１４０を備える。
【００３２】
制御部１１０は、ハードウェアとしてＣＰＵ（Central Processing Unit）、ＲＯＭ（Read only memory）、ＲＡＭ（Random access memory）、その他の周辺回路(いずれも不図示)を備え、画像供給装置１００の各部を統括制御する。ＣＰＵは、演算処理を実行するプロセッサーであり、ＲＯＭや記憶部１２０が記憶する制御プログラムに従って演算処理を実行する。ＲＯＭは、不揮発性のメモリーであり、例えば、制御プログラムや演算データを記憶する。ＲＡＭは、プロセッサーが実行する制御プログラムや演算データを一時記憶するワークエリアとして使用される。
【００３３】
記憶部１２０は、例えば、ハードディスク装置等の補助記憶装置である。記憶部１２０は、ＳＳＤ（Solid State Drive）等の半導体メモリーを使った記憶装置や、ＣＤ（Compact Disc）、ＤＶＤ（Digital Versatile Disc）、ＢＤ（Blu-ray（登録商標） Disc）等の光ディスクにより代替可能である。
記憶部１２０は、制御部１１０によって実行される制御プログラムや、再生部１３０が再生するコンテンツデータを記憶する。コンテンツデータには、例えば、動画像データや、静止画像データ、音声データ、ワード（登録商標）やエクセル（登録商標）等のドキュメントファイル等が含まれる。
【００３４】
再生部１３０は、制御部１１０の制御に従い、記憶部１２０が記憶するコンテンツデータを再生する。再生部１３０により再生された画像データは、ＨＤＭＩＩ／Ｆ部１４０に出力される。
【００３５】
ＨＤＭＩＩ／Ｆ部１４０は、ＨＤＭＩインターフェイスに対応した接続端子及びインターフェイス回路（いずれも不図示）を備える。接続端子にはケーブル２１が接続される。ケーブル２１の他方の端部は、プロジェクター２００ＡのＨＤＭＩＩ／Ｆ部２１０Ａ（図３参照）に接続される。
ＨＤＭＩＩ／Ｆ部１４０は、再生部１３０から入力される画像データを、制御部１１０の制御に従い所定のフォーマットのＨＤＭＩ信号（差動信号）に変換する。ＨＤＭＩＩ／Ｆ部１４０は、変換したＨＤＭＩ信号をケーブル２１に出力する。
【００３６】
図３は、プロジェクター２００Ａの構成を示す構成図である。プロジェクター２００Ａ〜２００Ｄは、ほぼ同一の構成を備えているため、代表してプロジェクター２００Ａの構成について説明する。また、以下の説明において、プロジェクター２００Ａの構成には「Ａ」の符号を付し、プロジェクター２００Ｂの構成には「Ｂ」の符号を付す。同様に、プロジェクター２００Ｃの構成には「Ｃ」の符号を付し、プロジェクター２００Ｄの構成には「Ｄ」の符号を付す。例えば、プロジェクター２００Ａの制御部２８０を「制御部２８０Ａ」と表記し、プロジェクター２００Ｂの制御部２８０を「制御部２８０Ｂ」と表記する。同様に、プロジェクター２００Ｃの制御部２８０を「制御部２８０Ｃ」と表記し、プロジェクター２００Ｄの制御部２８０を「制御部２８０Ｄ」と表記する。
【００３７】
プロジェクター２００ＡのＨＤＭＩＩ／Ｆ部２１０Ａは、画像入力部２１１Ａと画像出力部２１３Ａとを備える。
画像入力部２１１Ａは、接続端子とＩ／Ｆ回路（いずれも不図示）とを備える。接続端子は、ケーブル２１に接続する端子である。Ｉ／Ｆ回路は、ケーブル２１を介して受信したＨＤＭＩ信号を処理し、ＨＤＭＩ信号から画像データや同期信号を取り出す。画像入力部２１１Ａは、取り出した画像データを、後述するフレームメモリー２１５Ａや分割処理部２５０Ａに出力する。また、画像入力部２１１Ａは、取得した同期信号を、後述する制御部２８０Ａに出力する。制御部２８０Ａは、入力される同期信号に基づいて分割処理部２５０Ａや、画像出力部２１３Ａを制御する。
【００３８】
画像出力部２１３Ａは、接続端子とＩ／Ｆ回路とを備える。接続端子は、ケーブル２２に接続する接続端子である。Ｉ／Ｆ回路は、画像入力部２１１Ａや分割処理部２５０Ａから入力される画像データをＨＤＭＩ信号に変換し、変換したＨＤＭＩ信号をケーブル２２に出力する。
【００３９】
フレームメモリー２１５Ａは、複数のバンクを備える。各バンクは、画像データ（ソース画像データ）の１フレームを書き込み可能な記憶容量をする。画像データの１フレームとは、１画面分の画像データであり、静止画像データであれば静止画１枚分の画像データであり、動画像データであれは、１フレーム分の画像データである。フレームメモリー２１５Ａは、例えば、ＳＤＲＡＭ（Synchronous Dynamic Random Access Memory）により構成される。ＳＤＲＡＭは、クロックに同期してデータの読み出し及び書き込みを行うＤＲＡＭである。
【００４０】
プロジェクター２００Ａは、光学的な画像の形成を行い、スクリーンＳＣに画像を投射する投射部２２０Ａを備える。プロジェクター２００Ａの投射部２２０Ａは、本発明の「第１表示部」に相当する。また、プロジェクター２００Ｂ〜２００Ｄの投射部２２０Ｂ〜２２０Ｄは、本発明の「第２表示部」に相当する。
投射部２２０Ａは、光源部２２１Ａ、光変調装置２２２Ａ及び投射光学系２２３Ａを備える。光源部２２１Ａは、キセノンランプや、超高圧水銀ランプ、ＬＥＤ（Light Emitting Diode）、レーザー光源等からなる光源を備える。また、光源部２２１Ａは、光源が発した光を光変調装置２２２Ａに導くリフレクター及び補助リフレクターを備えていてもよい。さらに、光源部２２１Ａは、投射光の光学特性を高めるためのレンズ群、偏光板、又は光源が発した光の光量を光変調装置２２２Ａに至る経路上で低減させる調光素子等（いずれも図示略）を備えていてもよい。
【００４１】
光源部２２１Ａは、光源駆動部２３１Ａにより駆動される。光源駆動部２３１Ａは、バス２９０Ａに接続され、同じくバス２９０Ａに接続された制御部２８０Ａの制御によって光源部２２１Ａの光源を点灯及び消灯させる。
【００４２】
光変調装置２２２Ａは、例えば、Ｒ（赤）、Ｇ（緑）及びＢ（青）の三原色に対応した３枚の液晶パネル２２５Ａを備える。すなわち、光変調装置２２２Ａは、Ｒ（赤）の色光に対応した液晶パネル２２５Ａと、Ｇ（緑）の色光に対応した液晶パネル２２５Ａと、Ｂ（青）の色光に対応した液晶パネル２２５Ａとを備える。光源部２２１Ａが発する光はＲＧＢの３色の色光に分離され、それぞれ対応する液晶パネル２２５Ａに入射される。３枚の液晶パネル２２５Ａは、透過型の液晶パネルであり、画像が描画される描画領域を備える。３色の色光が液晶パネル２２５Ａを透過することで、描画領域に描画された画像によって色光が変調され、画像光が生成される。各液晶パネル２２５Ａを通過して変調された画像光は、クロスダイクロイックプリズム等の合成光学系によって合成され、投射光学系２２３Ａに射出される。
【００４３】
光変調装置２２２Ａは、光変調装置駆動部２３２Ａにより駆動される。光変調装置駆動部２３２Ａは、バス２９０Ａに接続される。
光変調装置駆動部２３２Ａには、画像処理部２６０ＡからＲ，Ｇ，Ｂの各原色に対応する画像データが入力される。光変調装置駆動部２３２Ａは、入力された画像データを液晶パネル２２５Ａの動作に適した駆動信号に変換する。光変調装置駆動部２３２Ａは、変換した駆動信号に基づいて、液晶パネル２２５Ａの描画領域の各画素に電圧を印加し、各液晶パネル２２５Ａに画像を描画する。
【００４４】
投射光学系２２３Ａは、光変調装置２２２Ａにより変調された画像光をスクリーンＳＣに投射して、スクリーンＳＣ上に結像させるレンズ群を備える。また、投射光学系２２３Ａは、スクリーンＳＣに投射される画像を拡大又は縮小させるズーム機構や、フォーカスの調整を行うフォーカス調整機構を備えていてもよい。
【００４５】
プロジェクター２００Ａは、操作パネル２４１Ａ、リモコン受光部２４３Ａ及び入出力Ｉ／Ｆ部２４５Ａを備える。
【００４６】
ユーザーインターフェースとして機能する操作パネル２４１Ａには、各種の操作キーや、液晶パネルが設けられる。入出力Ｉ／Ｆ部２４５Ａは、操作パネル２４１Ａ、リモコン受光部２４３Ａ及びバス２９０Ａに接続される。入出力Ｉ／Ｆ部２４５Ａは、操作キーが操作されると、操作された操作キーに対応した操作信号を制御部２８０Ａに出力する。また、入出力Ｉ／Ｆ部２４５Ａは、制御部２８０Ａの制御に従って、液晶パネルに各種の操作画面を表示させる。操作画面には、プロジェクター２００Ａを操作可能な各種ボタンが表示される。
【００４７】
赤外線信号を受光するリモコン受光部２４３Ａは、ユーザーインターフェースとして機能するリモコン５から送信される赤外線信号を受光する。リモコン受光部２４３Ａは、受光した赤外線信号をデコードして、リモコン５における操作内容を示す操作信号を生成し、制御部２８０Ａに出力する。
【００４８】
記憶部２７０Ａは、例えば、ハードディスク装置等の補助記憶装置である。記憶部２７０Ａは、ＤＲＡＭ（Dynamic RAM）、大容量の情報の記憶が可能なフラッシュメモリー又はＣＤ（Compact Disc）、ＤＶＤ（Digital Versatile Disc）、ＢＤ（Blu-ray Disc）等の光ディスクで代替されてもよい。記憶部２７０Ａは、制御部２８０Ａが実行する制御プログラムや各種データを記憶する。
【００４９】
また、記憶部２７０Ａは、設定情報２７５Ａを記憶する。この設定情報２７５Ａには、デイジーチェーン接続における接続順位の情報が含まれる。接続順位の情報は、本発明の「フレーム数の情報」に相当する。
【００５０】
プロジェクター２００Ａは、画像処理系を備える。この画像処理系は、プロジェクター２００Ａの全体を統合的に制御する制御部２８０Ａを中心に構成され、この他に、フレームメモリー２１５Ａ、分割処理部２５０Ａ及び画像処理部２６０Ａを備える。制御部２８０Ａ、画像処理部２６０Ａ及び記憶部２７０Ａは、バス２９０Ａを介して相互にデータ通信可能に接続される。
【００５１】
分割処理部２５０Ａは、制御部２８０Ａの制御に従い、画像供給装置１００から受信したソース画像データを分割して複数の部分フレームを生成する。分割処理部２５０Ａは、本発明の「フレーム生成部」に相当する。本実施形態では、表示システム１を４台のプロジェクター２００Ａ〜２００Ｄにより構成した。このため、プロジェクター２００Ａは、画像データを４分割して４つの部分フレームを生成する。表示システム１を構成するプロジェクター２００の台数が変更された場合、プロジェクター２００Ａは、変更されたプロジェクター２００の台数に対応した数の部分フレームを生成する。
また、本実施形態では、プロジェクター２００Ａ〜２００Ｄの４台を横１列に並べて配置した構成であるため、プロジェクター２００Ａは、画像データの横方向のサイズを１／４に分割する。例えば、画像データの解像度が、縦１Ｋ、横４Ｋの画像データである場合、プロジェクター２００Ａは、画像データを４分割して、縦１Ｋ、横１Ｋの４つの部分フレームを生成する。すなわち、部分フレームの解像度は、ソース画像データの１フレームよりも低解像度となる。分割処理部２５０Ａの構成については、図４を参照しながら後述する。
【００５２】
画像処理部２６０Ａは、フレームメモリー２１５に展開された画像データに対して画像処理を行う。画像処理部２６０Ａが行う処理には、例えば、解像度変換処理（スケーリング）や、リサイズ処理、歪み補正等の形状補正処理、デジタルズーム処理、色調補正処理、輝度補正処理等が含まれる。画像処理部２６０Ａは、制御部２８０Ａにより指定された処理を実行し、必要に応じて、制御部２８０Ａから入力されるパラメーターを使用して処理を行う。また、画像処理部２６０Ａは、上記のうち複数の処理を組み合わせて実行することも勿論可能である。画像処理部２６０Ａは、処理が終了した画像データをフレームメモリー２１５Ａから読み出し、光変調装置駆動部２３２Ａに出力する。
【００５３】
制御部２８０Ａは、ハードウェアとしてＣＰＵ、ＲＯＭ、ＲＡＭ及びその他の周辺回路（いずれも不図示）を備える。ＣＰＵは、演算処理を実行するプロセッサーであり、ＲＯＭや記憶部２７０Ａが記憶する制御プログラムに従って演算処理を実行する。ＲＯＭは、不揮発性のメモリーであり、例えば、制御プログラムや演算データを記憶する。ＲＡＭは、プロセッサーが実行する制御プログラムや演算データを一時記憶するワークエリアとして使用される。
プロジェクター２００Ａの制御部２８０Ａは、本発明の「第１表示制御部」に相当する。また、プロジェクター２００Ｂ〜２００Ｄの制御部２８０Ｂ〜２８０Ｄは、本発明の「第２表示制御部」に相当する。
【００５４】
本実施形態は、制御部２８０Ａが一つのプロセッサー（ＣＰＵ）を備え、このプロセッサーが制御プログラムに従った処理を実行することで制御部２８０Ａの機能を実現するが、複数のプロセッサー又は半導体チップにより制御部２８０Ａの機能を実現してもよい。例えば、制御部２８０Ａが、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、制御部２８０Ａは、ＣＰＵ及び副処理装置の双方を協働させるか、あるいは双方のうちの一方を選択的に用いて各種の制御を行ってもよい。
【００５５】
制御部２８０Ａは、機能ブロックとして、投射制御部２８１Ａ、分割制御部２８３Ａ、及び通信制御部２８５Ａを備える。これらの機能ブロックは、ＣＰＵが制御プログラムに従って演算を実行することで実現される機能をブロックとして便宜的に示したものであり、特定のアプリケーションやハードウェアを示すものではない。
【００５６】
投射制御部２８１Ａは、プロジェクター２００Ａの各部を制御して、スクリーンＳＣに画像を表示させる。例えば、投射制御部２８１Ａは、光変調装置駆動部２３２Ａを制御して液晶パネル２２５Ａに画像データに基づく画像を描画させる。また、投射制御部２８１Ａは、光源駆動部２３１Ａを制御して光源部２２１Ａの光源の点灯と消灯とを制御し、また光源の輝度を調整する。
【００５７】
分割制御部２８３Ａは、分割処理部２５０Ａ及び画像出力部２１３Ａを制御して、分割画像データを生成する。分割制御部２８３Ａの動作については図４を参照しながら説明する。
【００５８】
通信制御部２８５Ａは、ＨＤＭＩＩ／Ｆ部２１０Ａを制御して、画像供給装置１００やプロジェクター２００Ｂとの通信を行う。
【００５９】
図４は、画像処理系の詳細な構成を示す図である。
分割処理部２５０Ａは、タイミング分割部２５１Ａと選択部２５３Ａとを備える。また、画像処理部２６０Ａは、タイミング生成部２６１Ａと、処理実行部２６３Ａとを備える。画像処理系は、プロジェクター２００Ａがマスター機として動作する場合と、スレーブ機として動作する場合とで異なる動作を行う。まず、プロジェクター２００Ａがマスター機として動作する場合の動作について説明する。
【００６０】
画像入力部２１１Ａは、プロジェクター２００Ａがマスター機として動作する場合、分割制御部２８３Ａの制御に従い、受信した画像データ（ソース画像データ）をすべてフレームメモリー２１５Ａに記憶させる。
【００６１】
タイミング分割部２５１Ａは、分割制御部２８３Ａの制御に従ってフレームメモリー２１５Ａから画像データを読み出し、読み出した画像データを選択部２５３Ａに出力する。タイミング分割部２５１Ａには、分割制御部２８３Ａから読出信号が入力される。分割制御部２８３Ａは、画像供給装置１００から受信したＨＤＭＩ信号に含まれる垂直同期信号の周期数を４倍に変換し、変換した垂直同期信号に同期させた読出信号をタイミング分割部２５１Ａに出力する。ここで、垂直同期信号の周期数を４倍に変換するのは、ソース画像データを４分割するためであり、例えば、表示システム１を構成するプロジェクター２００の台数が３台の場合、垂直同期信号の周期数が３倍に変換される。タイミング分割部２５１Ａは、入力される読出信号に従って、フレームメモリー２１５Ａから画像データを読み出す。タイミング分割部２５１Ａは、読み出した画像データを選択部２５３Ａに出力する。
【００６２】
図５は、フレームメモリー２１５Ａの記憶領域３０を示す図である。記憶領域３０は、画像データを記憶する記憶素子により構成される領域である。図５を参照して、タイミング分割部２５１Ａの動作についてより詳細に説明する。
記憶領域３０には、１フレームのデータサイズが、縦１Ｋ、横４Ｋの画像データが展開されていると仮定して説明する。また、記憶領域３０の左上に位置する記憶画素が、ソース画像データの左上の画素を記憶し、記憶領域３０の右下に位置する記憶素子が、ソース画像データの右下の画素を記憶していると仮定して説明する。また、説明の便宜上、記憶領域３０が、第１記憶領域３１、第２記憶領域３２、第３記憶領域３３及び第４記憶領域３４の４つの領域を有していると仮定して説明するが、記憶領域３０が４つの記憶領域に分割されているわけではない。第１〜第４記憶領域３１〜３４の各々は、タイミング分割部２５１Ａに読出信号が入力されているときに、タイミング分割部２５１Ａがフレームメモリー２１５Ａから読み出す画像データのデータサイズに対応する。第１記憶領域３１〜第４記憶領域３４のサイズは、すべて縦１Ｋ、横１Ｋのサイズであり、第１記憶領域３１は記憶領域３０の左端に位置し、第１記憶領域３１の右隣りに第２記憶領域３２が位置する。また、第２記憶領域３２の右隣りに第３記憶領域３３が位置し、第３記憶領域３３の右隣りに第４記憶領域３４が位置する。すなわち、本実施形態では、タイミング分割部２５１Ａが、最初に、４分割したソース画像データの左端の領域を読み出し、次に左から２番目の領域を読み出し、次に左から３番目の領域を読み出し、最後に右端の領域を読み出す。
【００６３】
タイミング分割部２５１Ａは、フレームメモリー２１５Ａに記憶されたソース画像データの１フレームから所定サイズ（縦１Ｋ、横１Ｋ）の画像データを読み出す（切り出す）ことにより、複数の部分フレームを生成する。
タイミング分割部２５１Ａは、読出信号の信号レベルがハイレベルになるタイミングに同期して、フレームメモリー２１５Ａが記憶する画像データを読み出す。タイミング分割部２５１Ａは、読出信号の信号レベルが最初にハイレベルになる期間では、第１記憶領域３１に記憶された画像データを読み出して選択部２５３Ａに出力する。また、タイミング分割部２５１Ａは、読出信号の信号レベルが次にハイレベルになる期間では、第２記憶領域３２が記憶する画像データを読み出して選択部２５３Ａに出力する。このようにして、タイミング分割部２５１Ａは、読出信号の信号レベルがハイレベルになるタイミングに同期して、第１〜第４記憶領域３１〜３４に記憶された画像データを順次読み出す。以下では、タイミング分割部２５１Ａから選択部２５３Ａに出力される画像データを部分フレームという。また、画像データの１フレームのうち、タイミング分割部２５１Ａが最初に選択部２５３Ａに出力する部分フレームを第１部分フレームといい、次に選択部２５３Ａに出力する部分フレームを第２部分フレームという。また、タイミング分割部２５１Ａが第２部分フレームの次に選択部２５３Ａに出力する部分フレームを第３部分フレームといい、第３部分フレームの次に選択部２５３Ａに出力する部分フレームを第４部分フレームという。
【００６４】
タイミング分割部２５１Ａは、第１部分フレーム、第２部分フレーム、第３部分フレーム、第４部分フレームの順に画像データをフレームメモリー２１５Ａから読み出す。また、画像出力部２１３Ａは、分割処理部２５０Ａから入力される部分フレームの画像データを順次、ＨＤＭＩ信号に変換して、変換したＨＤＭＩ信号時系列に部分フレームの画像データをケーブル２２に出力する。
第１部分フレームの画像データは、プロジェクター２００Ａが投射領域１０Ａに投射する画像データであり、第２部分フレームの画像データは、プロジェクター２００Ｂが投射領域１０Ｂに投射する画像データである。また、第３部分フレームの画像データは、プロジェクター２００Ｃが投射領域１０Ｃに投射する画像データであり、第４部分フレームの画像データは、プロジェクター２００Ｄが投射領域１０Ｄに投射する画像データである。
すなわち、本実施形態では、予め設定された順として、デイジーチェーン接続の接続順に従って部分フレームの画像データがフレームメモリー２１５Ａから読み出される。
但し、タイミング分割部２５１Ａがフレームメモリー２１５Ａから部分フレームの画像データを読み出す順番は、デイジーチェーン接続の接続順に限定されない。例えば、第４部分フレーム、第３部分フレーム、第２部分フレーム、第１部分フレームの順に部分フレームの画像データを読み出すものであってもよい。この場合、画像出力部２１３Ａも、第４部分フレーム、第３部分フレーム、第２部分フレーム、第１部分フレームの順に部分フレームの画像データをプロジェクター２００Ｂに出力する。
【００６５】
選択部２５３Ａは、分割制御部２８３Ａの制御に従って、タイミング分割部２５１Ａから入力される部分フレームの画像データを画像出力部２１３Ａに出力する。
【００６６】
画像出力部２１３Ａには、分割制御部２８３Ａから同期信号（垂直同期信号や水平同期信号）や、先頭フレームパケット３７（図７参照）の挿入タイミングを指示する指示信号が入力される。画像出力部２１３Ａは、分割制御部２８３Ａの制御に従い、選択部２５３Ａから入力される部分フレームの画像データの先頭に、垂直同期信号を付加する。また、画像出力部２１３Ａは、分割制御部２８３Ａの制御に従い、第１部分フレームの画像データに先頭フレームパケット３７を付加する。画像出力部２１３Ａは、同期信号や先頭フレームパケット３７を付加した部分フレームの画像データをＨＤＭＩ信号に変換し、変換したＨＤＭＩ信号をケーブル２２に出力する。先頭フレームパケット３７は、１フレームの画像データ（ソース画像データ）から生成される４つの部分フレームのうち、第１部分フレームに付加されるパケットである。先頭フレームパケット３７は、本発明の「識別データ」に相当する。
【００６７】
図６は、プロジェクター２００Ａが画像供給装置１００から受信したＨＤＭＩ信号に含まれる垂直同期信号及び画像データ（ソース画像データ）の１フレームを示す図である。また、図７は、プロジェクター２００Ａがプロジェクター２００Ｂに出力するＨＤＭＩ信号に含まれる垂直同期信号及び部分フレームの画像データを示す図である。
分割制御部２８３Ａは、画像出力部２１３Ａを制御して、部分フレームの画像データの先頭に垂直同期信号を付加させる。具体的には、分割制御部２８３Ａは、画像供給装置１００から受信した垂直同期信号の周期数を４倍に変換し、変換した垂直同期信号に基づいて、画像出力部２１３Ａに垂直同期信号を付加させるタイミングを指示する。例えば、分割制御部２８３Ａは、画像供給装置１００から受信した垂直同期信号の周期数が３０Ｈｚである場合、３０Ｈｚを４倍にした１２０Ｈｚの信号を生成する。分割制御部２８３Ａは、生成した信号に基づいて画像出力部２１３Ａに垂直同期信号を付加させるタイミングを指示する。また、分割制御部２８３Ａは、生成した信号に基づいて、第１部分フレームの画像データの先頭に、先頭フレームパケット３７を付加させるように画像出力部２１３Ａを制御する。
【００６８】
また、画像出力部２１３Ａは、画像供給装置１００から垂直同期信号を入力してから次の垂直同期信号が入力されるまでの間に、ソース画像の１フレームから生成した第１〜第４部分フレームの画像データをケーブル２２に出力する。すなわち、画像出力部２１３Ａは、ソース画像データの１フレームの伝送周期に相当する周期で、ソース画像の１フレームから生成した第１〜第４部分フレームの画像データを出力する。
【００６９】
次に、プロジェクター２００Ａがスレーブ機として動作する場合の画像処理系の動作について説明する。プロジェクター２００Ａがスレーブ機として動作する場合の画像処理系の動作を説明することで、プロジェクター２００Ｂ〜２００Ｄの画像処理系の動作について説明する。
【００７０】
プロジェクター２００Ａがスレーブ機として動作する場合、画像入力部２１１Ａが受信するＨＤＭＩ信号には、部分フレームの画像データが含まれる。
画像入力部２１１Ａは、受信した第１〜第４部分フレームの画像データのすべてを分割処理部２５０Ａに出力すると共に、分割制御部２８３Ａにより指定された部分フレームの画像データだけを取り込んでフレームメモリー２１５Ａに記憶させる。
【００７１】
スレーブ機のプロジェクター２００は、上位のプロジェクター２００から受信したソース画像データ（第１〜第４部分フレームの画像データ）を、分割等の処理を行うことなく、後段のプロジェクター２００に出力すればよい。また、スレーブ機のプロジェクター２００は、上位のプロジェクター２００から受信した第１〜第４部分フレームの画像データのうち、スレーブ機のプロジェクター２００が投射する部分フレームの画像データだけを取り込んでフレームメモリー２１５に記憶させる。このため、スレーブ機のプロジェクター２００が画像処理を行う画像データのサイズは、ソース画像データを４分割した部分フレームの画像データのデータサイズとなる。従って、スレーブ機のプロジェクター２００としては、画像処理に必要な処理能力として、縦１Ｋ、横１Ｋの画像データを画像処理可能な能力を有していれば良く、スレーブ機の処理回路の多くの部分に、低い処理能力の回路構成を用いることができ、回路構成がシンプルなプロジェクター２００を実現できる。このため、表示システム１の全体として画像が表示される時間の遅延を抑えつつ、表示システム１を構成するプロジェクター２００の回路構成がシンプルな表示システム１を実現できる。
【００７２】
分割制御部２８３Ａは、設定情報２７５Ａに基づいて、プロジェクター２００Ａが画像を投射する部分フレームを判定する。例えば、設定情報２７５Ａに設定されたプロジェクター２００Ａの接続順位が第３位である場合、分割制御部２８３Ａは、第３部分フレームの画像データをフレームメモリー２１５Ａに記憶させるように、画像入力部２１１Ａに指示する。すなわち、分割制御部２８３Ａは、第１部分フレームの画像データが入力されてから３フレーム目に入力される第３部分フレームの画像データをフレームメモリー２１５Ａに記憶させるように、画像入力部２１１Ａに指示する。また、分割制御部２８３Ａは、設定情報２７５Ａに設定されたプロジェクター２００Ａの接続順位が第４位である場合、第４部分フレームの画像データをフレームメモリー２１５Ａに記憶させるように、画像入力部２１１Ａに指示する。
【００７３】
画像入力部２１１Ａは、受信した部分フレームの画像データのうち、先頭フレームパケット３７が付加された部分フレームを第1部分フレームの画像データと判定する。また、画像入力部２１１Ａは、部分フレームの画像データの先頭に付加された垂直同期信号の数をカウントする。例えば、画像入力部２１１Ａは、受信した部分フレームの画像データに、先頭フレームパケット３７と垂直同期信号とが含まれる場合、カウンターのカウント値をゼロクリアした後に、カウント値を１カウントアップする。画像入力部２１１Ａは、以後、垂直同期信号を受信するごとにカウンターのカウント値を１カウントアップする。画像入力部２１１Ａは、カウンターのカウント値に基づいて、受信した部分フレームが、第１部分フレーム〜第４部分フレームのいずれであるかを判定する。
【００７４】
画像入力部２１１Ａは、分割制御部２８３Ａから、例えば、第３部分フレームの画像データをフレームメモリー２１５Ａに記憶させるように指示を受けたと仮定する。画像入力部２１１Ａは、受信した部分フレームの画像データが、第１部分フレーム、第２部分フレーム及び第４部分フレームの画像データであると判定した場合、これらの部分フレームの画像データを分割処理部２５０Ａに出力する。また、画像入力部２１１Ａは、受信した部分フレームの画像データが、第３部分フレームの画像データであると判定した場合、第３部分フレームの画像データを取り込んでフレームメモリー２１５Ａに記憶させ、分割処理部２５０Ａに出力する。
【００７５】
選択部２５３Ａは、プロジェクター２００Ａがスレーブ機として動作する場合、画像入力部２１１Ａから入力される部分フレームの画像データを画像出力部２１３Ａに出力する。画像出力部２１３Ａは、入力される部分フレームの画像データを順次ＨＤＭＩ信号に変換し、ケーブル２２に時系列に出力する。画像出力部２１３Ａは、部分フレームの画像データの先頭に垂直同期信号を付加し、垂直同期信号を付加した部分フレームの画像データをＨＤＭＩ信号に変換してケーブル２２に出力する。すなわち、プロジェクター２００Ａがスレーブ機として動作する場合、上位のプロジェクター２００から受信した部分フレームの画像データをそのまま、下位のプロジェクター２００に送信する。
【００７６】
タイミング生成部２６１Ａは、フレームメモリー２１５Ａに記憶させた部分フレームの画像データを投射部２２０Ａに投射させる投射タイミングを判定する。タイミング生成部２６１Ａの動作について図８を参照しながら説明する。
【００７７】
図８は、接続順が第３位のプロジェクター２００が画像データを表示させるタイミングを示す図である。特に、図８に示す（Ａ）には、画像入力部２１１Ａが受信した部分フレームの画像データであって、Ｎ（Ｎは任意の自然数）フレームとＮ＋１フレームとの２フレーム分の画像データに相当する部分フレームの画像データを示す。また、図８に示す（Ｂ）には、Ｎフレームの画像データを投射部２２０Ａに投射させる投射タイミングを示す。以下では、プロジェクター２００Ａの接続順位が第３位のプロジェクター２００Ａであると仮定して説明する。
【００７８】
タイミング生成部２６１Ａは、画像入力部２１１Ａから通知信号が入力されると、フレームメモリー２１５Ａから画像データを読み出して処理実行部２６３Ａに出力する。フレームメモリー２１５Ａには、第３部分フレームの画像データが記憶されている。この第３部分フレームの画像データは、図８に示すＮフレームの画像データから生成された部分フレームの画像データである。
画像入力部２１１Ａは、先頭フレームパケット３７が入力されることにより、第１部分フレームの画像データが入力されたと判定する。この第１部分フレームの画像データは、Ｎフレームの１つ後のフレームであるＮ＋１フレームの画像データから生成された第１部分フレームの画像データである。また、画像入力部２１１Ａは、第１部分フレームの画像データに付加された垂直同期信号が入力されると、タイミング生成部２６１Ａに通知信号を出力する。
【００７９】
タイミング生成部２６１Ａは、画像入力部２１１Ａから通知信号が入力されると、フレームメモリー２１５Ａから第３部分フレームの画像データを読み出し、処理実行部２６３Ａに出力する。処理実行部２６３Ａは、タイミング生成部２６１Ａから入力される画像データに画像処理を行い、処理した画像データを光変調装置駆動部２３２Ａに出力する。
以後、光変調装置駆動部２３２Ａは入力された画像データを駆動信号に変換し、変換した駆動信号に基づいて、各液晶パネル２２５Ａの各画素に画像を描画する。そして、光源部２２１Ａが発する光が、液晶パネル２２５Ａを透過することにより画像光に変換され、変換された画像光が投射光学系２２３ＡによりスクリーンＳＣの投射領域１０Ａに投射される。
【００８０】
液晶パネル２２５に描画される画像は、画像処理部２６０Ａが光変調装置駆動部２３２Ａに画像データを出力するタイミングで切り替わる。すなわち、タイミング生成部２６１Ａがフレームメモリー２１５Ａから部分フレームの画像データを読み出して処理実行部２６３Ａに出力するタイミングが、液晶パネル２２５に描画された画像が変更されるタイミングとなる。このため、画像供給装置１００が供給するＨＤＭＩ信号に含まれる垂直同期信号に同期して、スクリーンＳＣに投射される画像を切り替えることができる。
【００８１】
次に、プロジェクター２００Ａがマスター機として動作する場合のタイミング生成部２６１Ａの動作について説明する。
プロジェクター２００Ａがマスター機として動作する場合、フレームメモリー２１５Ａは、画像供給装置１００から受信した１フレーム分の画像データを記憶する。
タイミング生成部２６１Ａは、１フレーム分の画像データのうち、第１記憶領域３１に記憶された画像データ（すなわち第１部分フレームの画像データ）を読み出して処理実行部２６３Ａに出力する。
【００８２】
また、タイミング生成部２６１Ａは、画像出力部２１３Ａが、第１部分フレームの画像データのプロジェクター２００Ｂへの送信が完了したタイミングで、フレームメモリー２１５Ａから画像データの読み出しを開始する。
【００８３】
図９は、接続順位が第１位のプロジェクター２００Ａが画像を表示させるタイミングを示す図である。図９も（Ａ）には、画像入力部２１１Ａが受信した部分フレームの画像データであって、ＮフレームとＮ＋１フレームとの２フレーム分の画像データに相当する部分フレームの画像データを示す。また、図９に示す（Ｂ）には、Ｎフレームの画像データを表示させるタイミングを示す。
タイミング生成部２６１Ａは、画像出力部２１３Ａが、第１部分フレームの画像データの送信が完了したタイミングで、フレームメモリー２１５Ａから第１部分フレームの画像データを読み出して処理実行部２６３Ａに画像処理を実行させる。処理実行部２６３Ａにより処理された第１部分フレームの画像データは投射部２２０Ａに出力され、投射部２２０Ａにより第１部分フレームの画像データに基づく画像が投射される。画像出力部２１３Ａがプロジェクター２００Ｂに送信する第１部分フレームの画像データは、Ｎ＋１フレームの画像データを分割して生成した部分フレームの画像データである。また、タイミング生成部２６１Ａがフレームメモリー２１５Ａから読み出す第１部分フレームの画像データは、Ｎ＋１フレームの１つ前のフレームであるＮフレームの画像データを分割して生成した第１部分フレームの画像データである。
【００８４】
図１０は、マスター機として動作するプロジェクター２００Ａの動作、特に、画像データの１フレームを部分フレームの画像データに分割して、プロジェクター２００Ｂに出力する動作を示すフローチャートである。
まず、分割制御部２８３Ａは、１フレームの画像データがフレームメモリー２１５Ａに記憶されているか否かを判定する（ステップＳ１）。分割制御部２８３Ａは、１フレームの画像データがフレームメモリー２１５Ａに記憶されていないと判定すると（ステップＳ１／ＮＯ）、フレームメモリー２１５Ａに１フレームの画像データが展開されるまで処理の開始を待機する。
【００８５】
分割制御部２８３Ａは、１フレームの画像データがフレームメモリー２１５Ａに記憶されていると判定すると（ステップＳ１／ＹＥＳ）、読出信号を分割処理部２５０Ａに出力して、分割処理部２５０Ａに、画像データの読み出しを開始させる。
【００８６】
分割処理部２５０Ａは、分割制御部２８３Ａから入力される読出信号に同期して、部分フレームの画像データをフレームメモリー２１５Ａから読み出し（ステップＳ２）、画像出力部２１３Ａに出力する。
【００８７】
また、分割制御部２８３Ａは、画像出力部２１３Ａに入力される画像データが第１部分フレームの画像データである場合（ステップＳ３／ＹＥＳ）、画像出力部２１３Ａに、先頭フレームパケット３７を付加させる。画像出力部２１３Ａは、分割制御部２８３Ａの制御に従い、第１部分フレームの画像データに先頭フレームパケット３７を付加する（ステップＳ４）。また、分割制御部２８３Ａは、画像データが第１部分フレームの画像データではない場合には（ステップＳ３／ＮＯ）、ステップＳ５の処理に移行する。
【００８８】
次に、分割制御部２８３Ａは、ステップＳ５において、画像出力部２１３Ａに、垂直同期信号を付加するように指示する。画像出力部２１３Ａは、分割制御部２８３Ａの制御に従い、部分画像データの先頭に垂直同期信号を付加する（ステップＳ５）。
【００８９】
次に、画像出力部２１３Ａは、先頭フレームパケット３７、又は先頭フレームパケット３７と垂直同期信号とが付加された部分フレームの画像データをＨＤＭＩ信号に変換し、変換したＨＤＭＩ信号をプロジェクター２００Ｂに送信する（ステップＳ６）。
【００９０】
次に、分割制御部２８３Ａは、１フレームの画像データの送信が完了したか否かを判定する（ステップＳ７）。分割制御部２８３Ａは、１フレームの画像データの送信が完了していない場合（ステップＳ７／ＮＯ）、ステップＳ２の処理に戻り、部分フレームの画像データの読み出しを継続する。また、分割制御部２８３Ａは、１フレームの画像データの送信が完了した場合（ステップＳ７／ＹＥＳ）、次のフレームの画像データがフレームメモリー２１５Ａに記憶されているか否かを判定する（ステップＳ８）。分割制御部２８３Ａは、次のフレームの画像データがフレームメモリー２１５Ａに記憶されていない場合（ステップＳ８／ＮＯ）、この処理フローを終了する。また、分割制御部２８３Ａは、次のフレームの画像データがフレームメモリー２１５Ａに記憶されている場合（ステップＳ８／ＹＥＳ）、ステップＳ２の処理に戻り、部分フレームの画像データの読み出しを行う。
【００９１】
図１１は、スレーブ機として動作するプロジェクター２００の動作を示すフローチャートである。以下の説明では、スレーブ機としてプロジェクター２００Ｂの動作を説明する。
制御部２８０Ｂは、画像入力部２１１ＢがＨＤＭＩ信号を受信したか否かを判定する。制御部２８０Ｂは、ＨＤＭＩ信号を受信していない場合（ステップＳ１１／ＮＯ）、ＨＤＭＩ信号を受信するまで処理の開始を待機する。
【００９２】
また、制御部２８０Ｂは、画像入力部２１１ＢがＨＤＭＩ信号を受信した場合（ステップＳ１１／ＹＥＳ）、受信したＨＤＭＩ信号に含まれる部分フレームの画像データを取り出す。制御部２８０Ｂは、取り出した部分フレームの画像データに先頭フレームパケット３７が含まれるか否かを判定する（ステップＳ１２）。
【００９３】
画像入力部２１１Ｂは、先頭フレームパケット３７が含まれていない場合（ステップＳ１２／ＮＯ）、垂直同期信号の信号数をカウントしたカウンターのカウント値を１加算する。画像入力部２１１Ｂは、加算後のカウンターのカウント値が分割制御部２８３Ｂにより指定されたカウント値となったか否かを判定する。これにより、画像入力部２１１Ｂは、受信した部分フレームの画像データが、プロジェクター２００ＢがスクリーンＳＣに投射させる対象の部分フレームであるか否かを判定する（ステップＳ１３）。画像入力部２１１Ｂは、受信した部分フレームの画像データが対象の部分フレームであると判定すると（ステップＳ１３／ＹＥＳ）、受信した部分フレームの画像データをフレームメモリー２１５Ｂに記憶させる（ステップＳ１４）。また、画像入力部２１１は、受信した部分フレームの画像データを分割処理部２５０Ｂの選択部２５３Ｂに出力する。選択部２５３Ｂは、入力された部分フレームの画像データを画像出力部２１３Ｂに出力する（ステップＳ１５）。画像出力部２１３Ｂは、入力された部分フレームの画像データを、ケーブル２３を介してプロジェクター２００Ｃに送信する（ステップＳ１６）。
【００９４】
また、画像入力部２１１Ｂは、受信した部分フレームの画像データが対象の部分フレームではないと判定した場合（ステップＳ１３／ＮＯ）、部分フレームの画像データを分割処理部２５０Ｂの選択部２５３Ｂに出力する。選択部２５３Ｂは、入力される部分フレームの画像データを画像出力部２１３Ｂに出力する（ステップＳ１５）。画像出力部２１３Ｂは、入力された部分フレームの画像データを、ケーブル２３を介してプロジェクター２００Ｃに送信する（ステップＳ１６）。
【００９５】
また、ステップＳ１２の判定において、受信した部分フレームの画像データに先頭フレームパケット３７が含まれる場合（ステップＳ１２／ＹＥＳ）、画像入力部２１１Ｂは、受信した部分フレームの画像データは第１部分フレームであると判定する。この場合、画像入力部２１１Ｂは、第１部分フレームの画像データに付加された垂直同期信号を受信したタイミングで、タイミング生成部２６１Ｂに通知信号を出力する。
【００９６】
タイミング生成部２６１Ｂは、画像入力部２１１Ｂから通知信号が入力されると、フレームメモリー２１５Ｂに第２部分フレームの画像データが記憶されているか否かを判定する（ステップＳ１７）。タイミング生成部２６１Ｂは、フレームメモリー２１５Ｂに第２部分フレームの画像データが記憶されていないと判定すると（ステップＳ１７／ＮＯ）、ステップＳ１１に戻り、ＨＤＭＩ信号の受信を継続して行う。また、タイミング生成部２６１Ｂは、フレームメモリー２１５Ｂに第２部分フレームの画像データが記憶されている場合（ステップＳ１７／ＹＥＳ）、フレームメモリー２１５Ｂから第２部分フレームの画像データを読み出して処理実行部２６３Ｂに出力する。
【００９７】
処理実行部２６３Ｂは、タイミング生成部２６１Ｂから入力される第２部分フレームの画像データに画像処理を行い（ステップＳ１８）、画像処理の終了した画像データを光変調装置駆動部２３２Ｂに出力する。この後、光変調装置駆動部２３２Ｂは、入力された画像データを駆動信号に変換し、変換した駆動信号に基づいて液晶パネル２２５Ｂに画像を描画する。そして、光源部２２１Ｂから射出され、ＲＧＢの３色の色光に分離された光が液晶パネル２２５Ｂを透過することで画像光に変換され、変換された画像光が投射光学系２２３ＢによりスクリーンＳＣの投射領域１０Ｂに投射される（ステップＳ１９）。
【００９８】
以上説明したように本実施形態の表示システム１は、マスター機としてのプロジェクター２００Ａと、スレーブ機としてのプロジェクター２００Ｂとを備える。
プロジェクター２００Ａは、投射部２２０Ａと、画像入力部２１１Ａと、分割処理部２５０Ａと、画像出力部２１３Ａと、制御部２８０Ａとを備える。
投射部２２０Ａは、画像を投射する。画像入力部２１１Ａには、ソース画像データが入力される。分割処理部２５０Ａは、ソース画像データのフレームの少なくとも一部を含む部分フレームを複数生成する。画像出力部２１３Ａは、分割処理部２５０Ａにより生成された複数の部分フレームを予め設定された順にプロジェクター２００Ｂに出力する。制御部２８０Ａは、生成された部分フレームのいずれかを投射部２２０Ａにより投射させる。
【００９９】
また、プロジェクター２００Ｂは、投射部２２０Ｂと、画像入力部２１１Ｂと、制御部２８０Ｂとを備える。投射部２２０Ｂは、画像を投射する。画像入力部２１１Ｂは、プロジェクター２００Ａから部分フレームが入力される。制御部２８０Ｂは、画像入力部２１１Ｂに入力される部分フレームの入力順に基づいて投射部２２０Ｂにより投射させる部分フレームを選択し、選択した部分フレームを投射部２２０Ｂにより投射させる。
【０１００】
この構成によれば、プロジェクター２００Ａが複数の部分フレームを生成してプロジェクター２００Ｂに送信するので、プロジェクター２００Ｂで部分フレームを生成する必要がなくなる。このため、プロジェクター２００Ｂの処理回路の多くの部分に、低い処理能力の回路構成を用いることができ、回路構成がシンプルなプロジェクター２００Ｂを実現できる。
【０１０１】
また、プロジェクター２００Ａが予め設定された順に部分フレームを送信し、プロジェクター２００Ｂは、画像入力部２１１Ｂに入力される部分フレームの入力順に基づいて表示させる部分フレームを選択する。従って、プロジェクター２００Ｂが表示する部分フレームを、プロジェクター２００Ａから受信した複数の部分フレームの中から選択させることができる。
【０１０２】
また、プロジェクター２００Ｂ〜２００Ｄが、プロジェクター２００Ａにデイジーチェーン接続される。
従って、プロジェクター２００Ａ〜２００Ｄがデイジーチェーンされた構成において、プロジェクター２００Ｂ〜２００Ｄの各々に、受信した複数の部分フレームの中から表示させる部分フレームを選択させることができる。
【０１０３】
また、分割処理部２５０Ａは、ソース画像を構成する１フレームから複数の部分フレームを切り出すことにより、複数の部分フレームを生成する。画像出力部２１３Ａは、ソース画像データの１フレームから生成された複数の部分フレームを連続して出力する。
従って、ソース画像データを構成する１フレームから生成された複数の部分フレームをプロジェクター２００Ａ〜２００Ｄにより表示させることができる。
【０１０４】
また、画像出力部２１３Ａは、ソース画像データの１フレームから生成した複数の部分フレームのうち、プロジェクター２００Ｂへの出力順が先頭の部分フレームに先頭フレームパケット３７を付加して出力する。
従って、プロジェクター２００Ｂ〜２００Ｄに、複数入力される部分フレームの中から先頭の部分フレームを判定させることができる。
【０１０５】
また、プロジェクター２００Ｂ〜２００Ｄの記憶部２７０Ｂ〜２７０Ｄは、先頭の部分フレームが画像入力部２１１Ｂ〜２１１Ｄに入力されてから、投射部２２０Ｂ〜２２０Ｄにより表示させる部分フレームが入力されるまでのフレーム数の情報を記憶する。
プロジェクター２００Ｂ〜２００Ｄの制御部２８０Ｂ〜２８０Ｄは、先頭フレームパケット３７が付加された部分フレームが画像入力部２１１Ｂ〜２１１Ｄに入力されて以後の部分フレームの数をカウントする。制御部２８０Ｂ〜２８０Ｄは、カウント数が、記憶部２７０Ｂ〜２７０Ｄに記憶されたフレーム数の情報に一致すると、画像入力部２１１Ｂ〜２１１Ｄに入力された部分フレームを、投射部２２０Ｂ〜２２０Ｄにより表示させる部分フレームとして選択する。
従って、プロジェクター２００Ａからプロジェクター２００Ｂ〜２００Ｄに通知する情報量を削減し、少ない情報量で、プロジェクター２００Ｂ〜２００Ｄの各々に、受信した複数の部分フレームの中から表示させる部分フレームを選択させることができる。
【０１０６】
また、画像出力部２１３Ａは、ソース画像データの１フレームから生成した複数の部分フレームの各々の先頭に垂直同期信号を付加する。
制御部２８０Ｂ〜２８０Ｄは、部分フレームに付加された垂直同期信号が画像入力部２１１Ｂ〜２１１Ｄに入力されるタイミングに同期して、選択した部分フレームを投射部２２０Ｂ〜２２０Ｄにより投射させる。
従って、容易かつ簡単な回路構成で、プロジェクター２００Ａ〜２００Ｄが、ソース画像データの１フレームから生成した部分フレームを表示するタイミングを同期させることができる。
【０１０７】
また、分割処理部２５０Ａは、ソース画像データの１フレームから、プロジェクター２００Ａ〜２００Ｄに対応する数の部分フレームを生成する。
従って、ソース画像の１フレームを分割してプロジェクター２００Ａ〜２００Ｄにより表示させることができる。
【０１０８】
また、画像出力部２１３Ａは、ソース画像データの１フレームの伝送周期に相当する周期で、ソース画像データの１フレームから生成した複数の部分フレームを出力する。
従って、ソース画像の１フレームの伝送周期で、複数の部分フレームをプロジェクター２００Ｂ〜２００Ｄの各々に伝送することができる。
【０１０９】
また、分割処理部２５０Ａは、ソース画像データを構成する１フレームよりも低解像度の部分フレームを生成する。従って、ソース画像データを、ソース画像よりも低解像度の複数の部分フレームに分割することができる。
【０１１０】
また、画像出力部２１３Ａは、デイジーチェーン接続の接続順位に従って複数の部分フレームを時系列に出力する。
従って、第２表示装置の各々に、デイジーチェーン接続の接続順位に従って、上位のプロジェクター２００から受信した複数の部分フレームの中からプロジェクター２００Ｂ〜２００Ｄ各々が表示する部分フレームを選択させることができる。
【０１１１】
上述した実施形態は本発明の好適な実施の形態である。但し、上述の実施形態に限定されるものではなく、本発明の要旨を逸脱しない範囲内で種々の変形実施が可能である。
例えば、上述した実施形態では、プロジェクター２００Ａを「第１表示装置」として動作させたが、画像供給装置１００を本発明の「画像処理装置」として動作させ、部分フレームの画像データの生成を画像供給装置１００に実行させてもよい。この場合、４台のプロジェクター２００Ａ〜２００Ｄは、すべて本発明の「第２表示装置」又は「表示装置」として動作する。
【０１１２】
また、画像供給装置１００を画像処理装置として動作させる場合の画像供給装置１００の構成は、図４に示すプロジェクター２００Ａの構成とほぼ同一であるため、図面を用いた詳細な説明は省略する。画像供給装置１００を「画像処理装置」として動作させる場合、ＨＤＭＩＩ／Ｆ部１４０に、図４に示す画像入力部２１１と画像出力部２１３とを設ける。ＨＤＭＩＩ／Ｆ部１４０の画像入力部２１１は、図２に示す記憶部１２０から画像データを読み出す機能部として動作させる。ＨＤＭＩＩ／Ｆ部１４０の画像出力部２１３は制御部１１０の制御に従い、部分フレームの画像データに、先頭フレームパケット３７や、垂直同期信号を付加する。ＨＤＭＩＩ／Ｆ部１４０の画像出力部２１３は、先頭フレームパケット３７や、垂直同期信号を付加した部分フレームの画像データをＨＤＭＩ信号に変換してケーブル２１に出力する。
【０１１３】
また、上述した実施形態では、１フレームの画像データ（ソース画像データ）から生成される４つの部分フレームのうち、第１部分フレームに先頭フレームパケット３７を付加する場合について説明した。他の例として、先頭フレームパケット３７を、第２部分フレーム〜第４部分フレームのいずれかの部分フレームの先頭に付加してもよい。プロジェクター２００Ｂ〜２００Ｄに、先頭フレームパケット３７が付加される位置を予め認識させておけば、プロジェクター２００Ｂ〜２００Ｄは、先頭フレームパケット３７に基づいて受信した部分フレームが第１部分フレーム〜第４部分フレームのいずれの部分フレームであるのかを判定することができる。
【０１１４】
また、プロジェクター２００Ａ〜２００Ｄに画像を投射させるタイミングは、第１部分フレームの画像データに付加された垂直同期信号を受信したタイミングに限定されない。例えば、第２部分フレーム〜第４部分フレームのいずれかに付加された垂直同期信号に同期させてもよい。
【０１１５】
また、上述の実施形態では、光変調装置２２２Ａが液晶パネル２２５Ａを備える構成を例示した。液晶パネル２２５Ａは、透過型の液晶パネルであってもよいし、反射型の液晶パネルであってもよい。また、光変調装置２２２Ａは、液晶パネル２２５Ａに代えて、デジタルミラーデバイス（ＤＭＤ）を用いた構成であってもよい。また、デジタルミラーデバイスとカラーホイールを組み合わせた構成としてもよい。また、光変調装置２２２Ａは、液晶パネル及びＤＭＤ以外に、光源が発した光を変調可能な構成を採用しても良い。
【０１１６】
また、図３に示したプロジェクター２００Ａの各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。その他、プロジェクターの他の各部の具体的な細部構成についても、本発明の趣旨を逸脱しない範囲で任意に変更可能である。
【０１１７】
また、図１０及び図１１に示すフローチャートの処理単位は、プロジェクター２００の処理を理解容易にするために、主な処理内容に応じて分割したものである。図１０及び図１１のフローチャートに示す処理単位の分割の仕方や名称によって本発明が制限されることはない。また、制御部２８０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【０１１８】
５…リモコン、１０Ａ〜１０Ｄ…投射領域、２１〜２４…ケーブル、３０…記憶領域、３１…第１記憶領域、３２…第２記憶領域、３３…第３記憶領域、３４…第４記憶領域、３７…先頭フレームパケット、１００…画像供給装置、１１０…制御部、１２０…記憶部、１３０…再生部、１４０…ＨＤＭＩＩ／Ｆ部、２００、２００Ａ〜２００Ｄ…プロジェクター、２１０Ａ〜２１０Ｄ…ＨＤＭＩＩ／Ｆ部、２１１Ａ〜２１１Ｄ…画像入力部、２１３Ａ〜２１３Ｄ…画像出力部、２１５Ａ〜２１５Ｄ…フレームメモリー、２２０Ａ〜２２０Ｄ…投射部、２２１Ａ〜２２１Ｄ…光源部、２２２Ａ〜２２２Ｄ…光変調装置、２２３Ａ〜２２３Ｄ…投射光学系、２２５Ａ〜２２５Ｄ…液晶パネル、２３２Ａ〜２３２Ｄ…光変調装置駆動部、２４１Ａ〜２４１Ｄ…操作パネル、２４３Ａ〜２４３Ｄ…リモコン受光部、２４５Ａ〜２４５Ｄ…入出力Ｉ／Ｆ部、２５０Ａ〜２５０Ｄ…分割処理部、２５１Ａ〜２５１Ｄ…タイミング分割部、２５３Ａ〜２５３Ｄ…選択部、２６０Ａ〜２６０Ｄ…画像処理部、２６１Ａ〜２６１Ｄ…タイミング生成部、２６３Ａ〜２６３Ｄ…処理実行部、２７０Ａ〜２７０Ｄ…記憶部、２７５Ａ〜２７５Ｄ…設定情報、２８０Ａ〜２８０Ｄ…制御部、２８１Ａ〜２８１Ｄ…投射制御部、２８３Ａ〜２８３Ｄ…分割制御部、２８５Ｂ〜２８５Ｄ…通信制御部、２９０Ａ〜２９０Ｄ…バス。
【図１】
2019101080.tif 000003
【図２】
2019101080.tif 000004
【図３】
2019101080.tif 000005
【図４】
2019101080.tif 000006
【図５】
2019101080.tif 000007
【図６】
2019101080.tif 000008
【図７】
2019101080.tif 000009
【図８】
2019101080.tif 000010
【図９】
2019101080.tif 000011
【図１０】
2019101080.tif 000012
【図１１】
2019101080.tif 000013